(57)【要約】【課題】本発明は、電子番組表に、過去と当日の番組情報を混在して表示することで、従来と比較して多くの番組情報を表示することができる放送受信装置を提供する。【解決手段】本発明の放送受信装置は、少なくとも番組放送信号及び対応する番組情報を受信可能な受信手段と、前記受信手段で受信した番組情報が更新されたか否かを確認する更新確認手段と、前記受信手段で受信した番組情報から番組表データを作成する番組表データ作成手段と、前記更新確認手段で番組情報が更新されたときには、更新された最新番組情報に関する番組表データのみを更新し、過去の番組情報及び前記最新番組情報が混在した番組表データを作成する番組表データ更新手段とを備える。【選択図】図１
2011205310.tif 000002
【特許請求の範囲】
【請求項１】
少なくとも番組放送信号及び対応する番組情報を受信可能な受信手段と、
前記受信手段で受信した番組情報が更新されたか否かを確認する更新確認手段と、
前記受信手段で受信した番組情報から番組表データを作成する番組表データ作成手段と、前記更新確認手段で番組情報が更新されたときには、更新された最新番組情報に関する番組表データのみを更新し、過去の番組情報及び前記最新番組情報が混在した番組表データを作成する番組表データ更新手段とを備えることを特徴とする放送受信装置。
【請求項２】
前記受信手段は、番組放送を切り換えるための操作を受けたときに、少なくとも番組情報を受信することを特徴とする請求項１に記載の放送受信装置。
【請求項３】
少なくとも番組放送信号及び対応する番組情報を受信可能な受信手段と、
前記受信手段で受信した番組情報から番組表データを作成する番組表データ作成手段と、前記受信手段により全チャンネルの番組情報の受信が完了した場合に、受信した最新番組情報に関する番組表データのみを更新し、過去の番組情報及び前記最新番組情報が混在した番組表データを作成する番組表データ更新手段とを備えることを特徴とする放送受信装置。
【発明の詳細な説明】
【技術分野】
【０００１】
本発明は、放送信号を受信可能な放送受信装置に関し、特に、電子番組表を用いて番組情報を表示する方法に関するものである。
【背景技術】
【０００２】
従来、現在または将来の放送番組を予約録画して、録画した番組を後で視聴するというライフスタイルが定着している。また近年、地上デジタル放送についてはポータブル受信機器で視聴できる仕組みとしてワンセグ（１セグメント)放送が始まっている。ワンセグ受信に対応したポータブル受信機器では、電子番組表を表示することで現在あるいは将来の番組情報を表示できる機能や、番組表から録画予約を登録できる機能を持つものが多い。
【０００３】
しかし、ワンセグ放送のための電子番組表は、最大１０番組分の情報しか送出されない。そのため、ワンセグ放送受信機では、数時間先の番組表しか表示できないという課題があった。また、インターネットを介して番組情報を取得し、その番組情報を元に電子番組表を表示する方法もある。しかし、ポータブル受信機器でインターネット接続するにはコストアップにつながり、インターネット接続のための機能が搭載されないこともある。このような課題を解決のため、例えば、先行技術１では、フルセグ（１２セグメント）放送やネットワークを介して１週間または数週間先の番組情報を受信可能な受信機と連携することで、1週間または数週間分の番組表を表示できる方法が開示されている。
【先行技術文献】
【特許文献】
【０００４】
【特許文献１】特開２００６−０４１５８３号公報
【発明の概要】
【発明が解決しようとする課題】
【０００５】
しかしながら、他機器と連携を取って、1週間または数週間分の番組表を表示する機能を実現するためには、他機器との連携を実現するための処理が複雑になるという課題がある。また、ユーザが当該機能を利用するためには、ポータブル受信機器の他、連携する他機器も購入する必要があり、導入コストの面でも課題がある。
【０００６】
そこで、本発明は、上記従来の問題点を解決すべく、電子番組表に、過去と当日の番組情報を混在して表示することで、従来と比較して多くの番組情報を表示することができる放送受信装置を提供するものである。
【課題を解決するための手段】
【０００７】
上記目的を達成するために、本発明の放送受信装置は、少なくとも番組放送信号及び対応する番組情報を受信可能な受信手段と、前記受信手段で受信した番組情報が更新されたか否かを確認する更新確認手段と、前記受信手段で受信した番組情報から番組表データを作成する番組表データ作成手段と、前記更新確認手段で番組情報が更新されたときには、更新された最新番組情報に基づいて番組表データを更新し、過去の番組情報及び前記最新番組情報を混在した番組表データを作成する番組表データ更新手段とを備えるようにしたものである。
【発明の効果】
【０００８】
上記の構成によれば、最新の番組情報と過去の番組情報とが混在された状態となり、実際に１０番組分しか番組情報が送出されない状況であっても、それ以上の番組情報を表示可能な電子番組表を提供することできる。さらに、上記の構成によれば、他の機器との連携などの複雑な処理を不要となるため、導入コストを安価に抑えることが可能となる。
【図面の簡単な説明】
【０００９】
【図１】実施の形態１にかかる放送受信装置のブロック図
【図２】実施の形態１にかかる放送受信装置においてチャンネル切換操作に基づいて番組情報を更新する際のフローチャート
【図３】実施の形態１にかかる放送受信装置において全チャンネルの番組情報を更新する際のフローチャート
【図４】実施の形態１にかかる放送受信装置において表示される電子番組表の一例を示す図
【発明を実施するための形態】
【００１０】
以下、本発明の放送受信装置の実施の形態について、図面を参照しながら説明する。
（実施の形態１）
図１に、実施の形態１にかかる放送受信装置のブロック図を示す。
【００１１】
放送受信装置１００は、受信部１０１、制御部１０２、アンプ部１０３、メモリ部１０４、入力操作部１０６で構成される。
【００１２】
受信部１０１は、放送波及び番組情報を受信する。
【００１３】
制御部１０２は、受信部１０１で受信した放送波をデコードするとともに、受信部１０１で受信した番組情報をもとに番組表データ１０５を作成する。作成された番組表データ１０５は、メモリ１０４に、一定期間分の情報として保持される。例えば1週間分（月〜日曜日）の番組表を表示できる放送受信装置の場合には、メモリ１０４内の番組表データ１０５は、少なくとも1週間分のデータを保持し、モニタ１０８に出力できるようにする。制御部１０２は、新しい番組情報が受信部１０１で取得されるたびに、番組表データ１０５を更新していくことで、常に最新の番組表データとなるように制御する。
【００１４】
入力操作部１０６は、ユーザからの操作を受けるためのボタンなどで構成される。本実施の形態では、放送受信装置１００に配置されたボタンでユーザの操作を受け付けたが、放送受信装置１００に接続されるモニタ１０８に表示されるＧＵＩや、放送受信装置１００内に搭載されたタッチパネルでユーザの操作を受け付けるようにしても良い。
【００１５】
アンプ部１０３は、制御部１０２でデコードされた音声データを増幅し、放送受信装置１００に接続されたスピーカ１０７に出力する。
【００１６】
メモリ部１０４は、受信部１０１で受信した番組情報、放送受信装置を動作させるための設定値、チャンネル一覧等のデータを保存する。メモリ部１０４は、番組表データ１０５を含む。
【００１７】
次に、番組情報を更新する方法を説明する。
（１）チャンネル切換操作に基づいて番組情報を更新する方法
図2に、実施の形態１にかかる放送受信装置において、チャンネル切換操作に基づいて番組情報を更新する際のフローチャートを示す。
【００１８】
ステップＳ１において、チャンネル切換操作があればステップＳ２に進む。ステップＳ２において、受信するチャンネルを切り換えて、ステップＳ３に進む。一方、ステップＳ１においてチャンネル切換操作がなければ、チャンネル切換せずにステップＳ３に進む。ステップＳ３において、番組情報の更新があると確認された場合は、ステップＳ４で番組表データを更新して、ステップＳ１に戻る。一方、ステップＳ３において番組情報が更新されていないと確認された場合は、そのままステップＳ１に戻る。
【００１９】
このような方法で番組情報を更新することで、新たな番組情報を取得するたびに最新の番組表データに更新できるという作用を有する。
【００２０】
ポータブル受信機器での受信を想定したワンセグ放送では、現在の番組を含めて最大で１０番組分しか番組情報が送信されず、更に現在視聴中のチャンネルのみしか送信されない。このような環境の下で、ポータブル受信機器で電子番組表などの番組情報を表示する場合、当然、フルセグ放送の受信機と比べて表示可能な日数も少なく、チャンネル数も少ない場合が大半である。本実施の形態では、上記のように、過去に取得した番組情報を活用することにした。すなわち、最新の番組表データは、最新の番組情報と過去の番組情報とが混在されたものとなっており、モニタ１０７では電子番組表として同一画面内に最新の番組情報と過去の番組情報を表示することができる。
（２）全チャンネルの番組情報を更新する方法
図3に、実施の形態１にかかる放送受信装置において、ある特定の操作に基づいて全てのチャンネルの番組情報を更新する際のフローチャートを示す。
【００２１】
ステップＳ１１において、受信部１０１で放送を受信する。ステップＳ１２において、制御部１０２で番組情報を取得する。ステップＳ１３において、制御部１０２はステップＳ１２で取得した番組情報で番組表データを更新し、メモリ１０４に記憶する。ステップＳ１４において、登録されている全チャンネル分の番組情報が更新されたかを判定する。更新が完了している場合は終了する。一方、更新が完了していない場合はステップＳ１５に進む。ステップＳ１５において、チャンネルを別のャンネルに切り換えて、ステップＳ１１に戻る。
【００２２】
このような方法で番組情報を更新することで、当該装置に登録されている全チャンネルに対して現在の最新の番組情報に更新できる作用を有する。方法（２）に関しても、方法（１）と同様に、最新の番組表データは、最新の番組情報と過去の番組情報とが混在されたものとなる。
【００２３】
なお、本実施の形態では、上記の方法（１）と（２）で番組情報を更新したが、ＡＣ電源で放送受信装置１００が駆動していて電源がオフの状態のときに、一定時間の間隔（例えば3時間）で自動的に上記方法（２）により番組情報を更新するようにしても良い。
【００２４】
図４は、本実施の形態１にかかる放送受信装置で表示する番組表の一例を示す。
【００２５】
番組表４０１は、全チャンネルのうち３チャンネルに対して、４時間分の番組スケジュールを表示するものである。本実施の形態では、××月××日に対するＣＨ１〜３のチャンネルの１０時から１３時の番組を表示している。各番組を示すセル４０１の一部には付属情報４０２が表示されている。これは、最新の番組情報で更新されなかった過去の番組情報を示すものである。
【００２６】
なお、本実施の形態では、このように付加情報を表示することで、過去の番組情報を表現しているが、セル４０１で表示される文字の色を、現在の情報であれば赤色、1週間前までの情報であれば黒色、1ヶ月前までの情報であれば灰色、1ヶ月より古い情報であれば表示しないなどにより、最新の情報と過去の情報を区別するようにしても良い。
【００２７】
また、現在の最新の情報と過去の番組情報とを、文字の色を分けるなどの方法で区別して表示する方法について言及したが、更に番組表から予約録画を登録できる機器では、現在の番組表から録画予約する場合と、過去の番組表から予約する場合とで録画の扱いを変える仕組みとしても良い。例えば、現在の番組情報から予約登録した場合には情報の信頼性が高いことから予約した番組の開始時刻に録画を開始し、１ヶ月前の番組情報から予約登録した場合には、開始時刻より前に再度番組情報を取得して該当する番組の開始時刻に変化がないかを確認する方法がなど考えられる。
【００２８】
また、連続ドラマなど毎週繰り返し放送する番組の場合、番組のタイトル情報で最終回であることが判断できる場合がある。過去の番組表のデータが最終回の場合に、上記とは異なる色で色分けすることで、ユーザの判断を助ける機能を付加することができる。
【００２９】
なお、実施の形態１において、番組表データはワンセグ放送波による番組情報を元に作成する構成としたが、これには限らない。例えば、インターネットなどのネットワークへの接続が可能な機器の場合、ネットワークにつながる環境の場合にはネットワーク経由で番組情報を取得し、繋がらないときにはワンセグ放送波から番組情報を取得して更新する方法で、番組表データを更新してもよい。この方法であれば、より精度の高い番組表データを作成できるとともに、ネットワークに接続できない環境下でもワンセグ放送波から最新の番組情報に更新することができる。
【産業上の利用可能性】
【００３０】
本発明は、放送信号を受信可能な放送受信装置に関し、特に、電子番組表を用いて番組情報を表示する方法に関するものであって、電子番組表に、過去と当日の番組情報を混在して表示することで、従来と比較して多くの番組情報を表示することができる放送受信装置を提供できる。そのため、本発明は、当日の番組情報が受信できない場合にも、過去の番組情報を利用して、電子番組表を作成することができるので、ポータブル受信機器に限らずフルセグ受信機器にも適用できる。
【符号の説明】
【００３１】
１００  放送受信装置
１０１  受信部
１０２  制御部
１０３  アンプ部
１０４  メモリ部
１０５  番組表データ
１０６  入力操作部
１０７  スピーカ
１０８  モニタ
【図１】
2011205310.tif 000003
【図２】
2011205310.tif 000004
【図３】
2011205310.tif 000005
【図４】
2011205310.tif 000006